(57)【要約】【課題】撮像装置において、発光部を回転させずに、バウンスフラッシュ撮影も可能にすること。【解決手段】複数の放電管７５及び７６と、放電管の各々を発光させるトリガ部７２及び７３と、各トリガ部のいずれかを選択するトリガ選択部７１と、撮影モードを選択するバウンスフラッシュスイッチ６８と、各放電管に直列に接続される一つの制御素子７４と、制御素子７４を制御することで放電管の発光量を制御する発光制御部８０と、を備え、バウンスフラッシュスイッチ６８により選択された撮影モードに応じて、トリガ選択部７１により各トリガ部のいずれかを選択し、選択されたトリガ部７２及び７３の少なくともいずれか一つによって放電管を発光させることを特徴とする。【選択図】図１
2010266604.tif 000002
【特許請求の範囲】
【請求項１】
複数の放電管と、該放電管の各々を発光させるトリガ手段と、該各トリガ手段のいずれかを選択するトリガ選択手段と、撮影モードを選択する選択手段と、前記各放電管に直列に接続される一つの制御素子と、を備え、
該選択手段により選択された撮影モードに応じて、前記トリガ選択手段により前記各トリガ手段のいずれかを選択し、該選択されたトリガ手段によって前記放電管を発光させることを特徴とする撮像装置。
【請求項２】
前記選択手段により選択される撮影モードは、撮影画角に存在する被写体に向けて直接的に光を照射する一般フラッシュ撮影モードとバウンスフラッシュモードであることを特徴とする請求項１記載の撮像装置。
【請求項３】
前記選択手段により選択される撮影モードは、撮影画角に存在する被写体に向けて直接的に光を照射する一般フラッシュ撮影モードとマクロフラッシュモードであることを特徴とする請求項１記載の撮像装置。
【請求項４】
前記バウンスフラッシュモード時に発光される光が、撮影の際の撮影画角に直接入射しないことを特徴とする請求項２記載の撮像装置。
【請求項５】
前記バウンスフラッシュモード時に発光される光の光量は、前記一般フラッシュ撮影モード時に発光される光の光量に比して同じ又は大きいことを特徴とする請求項２記載の撮像装置。
【請求項６】
前記バウンスフラッシュモード時に発光される光の照射角は、前記一般フラッシュ撮影モード時に発光される光の照射角に比して同じ又は広いことを特徴とする請求項２記載の撮像装置。
【請求項７】
複数の放電管と、該放電管の各々を発光させるトリガ手段と、該トリガ手段のいずれかを選択するトリガ選択手段と、撮影モードを選択する選択手段と、前記各放電管に直列に接続される一つの制御素子と、を備え、
該選択手段により選択された撮影モードに応じて、前記トリガ選択手段により前記各トリガ手段のいずれかを選択し、該選択されたトリガ手段によって前記放電管を発光させることを特徴とする撮像装置に具備されるフラッシュ装置。
【発明の詳細な説明】
【技術分野】
【０００１】
本発明は、フラッシュを内蔵する撮像装置及びフラッシュ装置に関し、特に、バウンス機能を有する撮像装置及びフラッシュ装置に関する。
【背景技術】
【０００２】
フラッシュはほとんどのコンパクトタイプのカメラ（以下、撮像装置と呼ぶ）に内蔵されて来ており、一部の一眼レフタイプのカメラにも内蔵されてきている。内蔵されるストロボは被写体に直接に光を照射するものが一般的であり、被写体によっては影が強く不自然に出てしまう不具合がある（この場合を、以下一般フラッシュ撮影モードと呼ぶ）。このような不具合に対して、照射光を天井や壁及び反射板などに光を反射させてから被写体に照射させるバウンス撮影がある。反射光で被写体を照射するため光が回り込み、自然な光で影を緩和したり積極的に影を出し影の演出が可能となる。
【０００３】
外付けストロボでは発光部を上下に回転させるものや、上下左右に回転可能なバウンス機能を有するものが多いが、コンパクトカメラなどの撮像装置では発光部が回転しバウンス撮影が可能なものはない。テレ又はワイドに撮影画角が切り換え可能な撮像装置では撮影画角に対応した発光部に切り換えるものとして、配光の広い発光部と配光が狭く発光量の少ない発光部を配光切替え信号に応じて切替え発光するものが開示されている（特許文献１）。
【先行技術文献】
【特許文献】
【０００４】
【特許文献１】特開平０２−１４６０２７号公報
【発明の概要】
【発明が解決しようとする課題】
【０００５】
しかしながら、上記の従来技術では、発光部が回転させる機構が複雑となったり、回転に余計なスペースが必要になったりしていた。そこで、本発明は、発光部を回転させずに、バウンスフラッシュ撮影も可能にすることを目的とする。
【課題を解決するための手段】
【０００６】
上記の目的を解決するために、本発明に係る撮像装置は、複数の放電管と、該放電管の各々を発光させるトリガ手段と、該各トリガ手段のいずれかを選択するトリガ選択手段と、撮影モードを選択する選択手段と、前記各放電管に直列に接続される一つの制御素子と、を備え、該選択手段により選択された撮影モードに応じて、前記トリガ選択手段により前記各トリガ手段のいずれかを選択し、該選択されたトリガ手段によって前記放電管を発光させることを特徴とする。
【発明の効果】
【０００７】
本発明によれば、一般フラッシュ撮影用発光部とバウンスフラッシュ撮影用発光部を個別に固定配置させたので、構成が簡易になった。そのため、回転に必要なスペースが必要なくなり、強度やデザインなどの観点からもより好ましい形態を実現することが可能となった。また、制御回路が共通化されたので、コストダウンが図れるようになった。
【図面の簡単な説明】
【０００８】
【図１】本発明の第１の実施形態の撮像装置１００の構成を示すブロック図である。
【図２】本発明の第１の実施形態の動作を示すフローチャートである。
【図３】撮影処理を示すフローチャートである。
【図４】本発明の第１の実施形態の撮像装置１００の概観を示す斜視図である。
【図５】本発明の第２の実施形態の撮像装置１００の構成を示すブロック図である。
【図６】第１及び第２発光部をフラッシュ本体に設けた例を示す斜視図である。
【発明を実施するための形態】
【０００９】
以下、添付図面を参照して本発明の実施形態を詳細に説明する。
（第１の実施形態）
図１は、本発明の第１の実施形態としての撮像装置１００を示すブロック図である。図１に示すように、本発明に係る撮像装置１００は、撮影レンズ１０と、シャッター１２と、光学像を電気信号に変換する撮像素子１４と、アナログ信号をデジタル信号に変換するＡ／Ｄ変換器１６と、画像処理回路２０とを備える。シャッター１２は絞り機能を備えている。画像処理回路２０は、Ａ／Ｄ変換器１６から出力されたデータ又はメモリ制御回路２２から出力されたデータに対して所定の画素補間処理や色変換処理を行う。また、画像処理回路２０は、撮像した画像データを用いて所定の演算処理を行い、得られた演算結果に基づいてＴＴＬ方式のＡＷＢ（オートホワイトバランス）処理を行う。
【００１０】
撮像装置１００は、メモリ制御回路２２と、画像表示メモリ２４と、Ｄ／Ａ変換器２６と、画像表示部２８と、メモリ３０と、圧縮・伸長回路３２と、露光制御部４０と、測距制御部４２と、ズーム制御部４４と、フラッシュ４８とを備える。メモリ制御回路２２は、Ａ／Ｄ変換器１６、画像処理回路２０、画像表示メモリ２４、Ｄ／Ａ変換器２６、メモリ３０及び圧縮・伸長回路３２を制御する。Ａ／Ｄ変換器１６で変換されたデータは、画像処理回路２０及びメモリ制御回路２２を介するか、又はメモリ制御回路２２のみを介して、画像表示メモリ２４又はメモリ３０に書き込まれる。画像表示部２８はＴＦＴ、ＬＣＤ等からなり、画像表示メモリ２４に書き込まれた表示用の画像データを、Ｄ／Ａ変換器２６を介して表示する。メモリ３０は撮影した静止画像や動画像を格納するためのメモリである。
【００１１】
圧縮・伸長回路３２は、適応離散コサイン変換（ＡＤＣＴ）等により画像データを圧縮又は伸長する回路である。圧縮・伸長回路３２は、メモリ３０に格納された画像を読み込んで圧縮処理又は伸長処理を行い、処理を終えたデータをメモリ３０に書き込む。露光制御部４０は絞り機能を備えるシャッター１２を制御し、フラッシュ４８と連携することによりフラッシュ４８の調光もすることができる。測距制御部４２は、撮影レンズ１０のフォーカシングを制御する。ズーム制御部４４は撮影レンズ１０のズーミングを制御する。
【００１２】
フラッシュ４８は、複数の放電管を有しており、ＡＦ補助光を投光したり、フラッシュの調光をしたりする。フラッシュ４８は、トリガ選択部７１と、第１トリガ部７２と、第２トリガ部７３と、制御素子７４と、第１放電管７５と、第２放電管７６と、メインコンデンサ７７と、発光制御部８０と、昇圧部８１とから構成されている。昇圧部８１は、メインコンデンサ７７の充電を行う。また、撮像装置１００は、システム制御回路５０を備えている。
【００１３】
システム制御回路５０は、撮像装置１００全体を制御する。システム制御回路５０は、画像処理回路２０の処理によって得られた演算結果に基づいて、露光制御部４０及び測距制御部４２に対して制御を行う。システム制御回路５０はＴＴＬ（スルー・ザ・レンズ）方式のＡＦ（オートフォーカス）処理及びＡＥ（自動露出）処理、ＥＦ（フラッシュプリ発光）処理を行っている。システム制御回路５０は、トリガ選択部７１により、第１トリガ部７２又は第２トリガ部７３を選択的に駆動させることで、第１放電管７５又は第２放電管７６を発光させる。トリガ選択部７１はトリガ選択手段としての機能を果たし、第１トリガ部７２及び第２トリガ部７３はトリガ手段としての機能を果たし、発光制御部８０は発光制御手段としての機能を果たす。システム制御回路５０は、発光制御部８０を介して制御素子７４を制御することで、第１放電管７５又は第２放電管７６の発光量を制御してフラッシュ調光を行う。昇圧部８１は、メインコンデンサ７７を昇圧した電圧にて充電する。
【００１４】
第１放電管７５及び第２放電管７６は、トリガ選択部７１により選択された第１トリガ部７２又は第２トリガ部７３からトリガ出力を受ける第１放電管７５又は第２放電管７６でメインコンデンサ７７が放電される。第１放電管７５と第２放電管は、制御素子７４と直列に接続されている。撮像した画像データが画像処理回路２０によって演算された演算結果に基づき、システム制御回路５０が露光制御部４０及び測距制御部４２を制御する。
【００１５】
撮像装置１００は、モードダイアル６０と、シャッタースイッチ（ＳＷ１）６２と、シャッタースイッチ（ＳＷ２）６４と、選択手段としてのバウンスフラッシュスイッチ６８とを備えている。これらの各部は、システム制御回路５０における各種の動作指示を入力するために設けられ、操作手段としての機能を果たし、スイッチやダイアル、タッチパネル等で構成される。モードダイアル６０は、電源オフ、撮影モード、再生モード、ＰＣ接続モード等の各機能モードを切り替え設定することができる。シャッタースイッチ（ＳＷ１）６２は、図４のシャッターボタン６０２の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。シャッタースイッチ（ＳＷ２）６４は、不図示のシャッターボタンの操作完了でＯＮとなり撮像素子１４から読み出した信号をＡ／Ｄ変換器１６、メモリ制御回路２２を介してメモリ３０に画像データを書き込む。さらに、画像処理回路２０やメモリ制御回路２２での演算を用いた現像処理、メモリ３０から画像データを読み出し圧縮・伸長回路３２で圧縮を行い、記録媒体２００に画像データを書き込む記録処理という一連の処理の動作開始を指示する。
【００１６】
バウンスフラッシュスイッチ６８は、フラッシュの発光をバウンスに切り換えるスイッチである。
【００１７】
撮像装置１００は、インタフェイス９０と、コネクタ９２とを備える。インタフェイス９０はメモリカードやハードディスク等の記録媒体とのインタフェイスとしての機能を果たす。コネクタ９２はメモリカードやハードディスク等の記録媒体２００と接続をとる。
記録媒体２００は、半導体メモリや磁気ディスク等から構成される記録部２０２と、撮像装置１００とのインタフェイスとしての機能を果たすインタフェイス２０４と、撮像装置１００と接続をとるコネクタ２０６とを備えている。
【００１８】
図４は、図１に示す撮像装置１００の外観を示す斜視図である。撮像装置１００は、シャッターボタン６０２と、バウンスフラッシュスイッチ６０４と、第２発光部６０６と、第１発光部６０８と、レンズ鏡筒６１０とを備える。シャッターボタン６０２は図１のシャッタースイッチ６２及び６４に対応する。シャッターボタン６０２は半押し状態（ＳＷ１）である撮影準備状態と全押しである撮影開始の状態（ＳＷ２）の状態をシステム制御回路５０に伝達する。
【００１９】
バウンスフラッシュスイッチ６０４は、バウンスフラッシュの切り換えスイッチで図１のバウンスフラッシュスイッチ６８に対応する。第２発光部６０６は、バウンスフラッシュモード時の際の第２発光部であり、図１で示した第２放電管７６が含まれ図示しない反射傘やフレネルレンズ等を設けられた前面パネルにより所定の照射角に設定されている。第１発光部６０８は、一般フラッシュ撮影モードの際の第１発光部であり、図１で示した第１放電管７５が含まれ、図示しない反射傘やフレネルレンズ等を設けられた前面パネルにより撮影レンズ１０の撮影画角をカバーする照射角に設定されている。第１発光部６０８は撮影画角に存在する被写体に向けて、直接的に光を照射するように構成されている。
【００２０】
バウンスフラッシュスイッチ６０４の切り換えによりフラッシュ撮影の場合、第２発光部６０６又は第１発光部６０８が選択される。また、第２発光部６０６は、バウンスフラッシュモード時の際の光源で、レンズ鏡筒６１０内の撮影レンズ１０の撮影画角に直接入射しないような位置に配置されている。本実施形態では、第２発光部６０６は撮像装置１００のシャッターボタン６０２側（上面）に設けられ撮像装置１００の正位置で上方向に光が照射されるよう配置されている。この照射角度は一般的なバウンス撮影では直接光が撮影画角に入らないように撮像装置の正位置の水平方向に対して６０度から９０度の照射であることが望ましい。バウンス時は第２発光部６０６の光を天井や壁又は反射板に反射させ、この反射光により被写体を照明することで、光の回り込みによりきつい影ができるのを緩和できる。ここで、一般フラッシュ撮影モード時に使用する第１発光部６０８に対してバウンスフラッシュモード時に使用する第２発光部６０６の照射角度は拡散が行われ易いように同じかより広いことが望ましい。
【００２１】
以下、図２および図３を参照して、本実施形態の動作について詳細に説明する。図２及び図３は、本実施形態の撮像装置１００の主ルーチンのフローチャートを示す。図２及び図３を用いて、撮像装置１００の動作を説明する。電源投入により、システム制御回路５０はフラグや制御変数等を初期化し（Ｓ１０１）、画像表示部２８の画像表示をＯＦＦ状態に初期設定する（Ｓ１０２）。
【００２２】
モードダイアル６０が撮影モードに設定されていたならば（Ｓ１０３）、Ｓ１０５に進む。モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００２３】
システム制御回路５０は、バウンスフラッシュスイッチ６８の設定状態を調べ（Ｓ１０５）、バウンスフラッシュＯＮに設定されていたならばバウンスフラッシュ・フラグを設定する（Ｓ１０６）。また、バウンスフラッシュＯＦＦに設定されていたならば、バウンスフラッシュ・フラグを解除する（Ｓ１０７）。なお、バウンスフラッシュ・フラグの状態は、システム制御回路５０の内部メモリに記憶する。
【００２４】
システム制御回路５０は、撮像した画像データを逐次表示するスルー表示状態に設定して（Ｓ１０８）、Ｓ１０９に進む。スルー表示状態においては、撮像素子１４、Ａ／Ｄ変換器１６、画像処理回路２０、メモリ制御回路２２を介して、画像表示メモリ２４に逐次書き込まれたデータをメモリ制御回路２２、Ｄ／Ａ変換器２６を介して画像表示部２８により逐次表示する。このようにすることにより、電子ファインダ機能を実現している。シャッタースイッチ（ＳＷ１）６２が押されていないならば（Ｓ１０９）、図２のＳ１０３に戻る。シャッタースイッチ（ＳＷ１）６２が押されていたならば（Ｓ１０９）、Ｓ１１０に進む。システム制御回路５０は、測距処理を行って撮影レンズ１０の焦点を被写体に合わせ、測光処理を行って絞り値及びシャッター時間を決定する（Ｓ１１０）。測光処理において、被写体の輝度が閾値よりも低いと判断したり、被写体が逆光状態であると判断したりしたのであれば、フラッシュの設定も行う。シャッタースイッチ（ＳＷ２）６４が押されずに（Ｓ１１１）、さらにシャッタースイッチ（ＳＷ１）６２も解除されたならば（Ｓ１１２）、図２のＳ１０３に戻る。ここで、シャッタースイッチ（ＳＷ２）６４が押されたならば（Ｓ１１１）、Ｓ１１３に進む。ここでは、システム制御回路５０は、メモリ３０に撮影した画像データを書き込む露光処理及びメモリ制御回路２２、メモリ３０に書き込まれた画像データを読み出して各種処理を行う現像処理からなる撮影処理を実行する（Ｓ１１３）。その際、必要に応じて画像処理回路２０を用いる。このＳ１１３の撮影処理の詳細は図３を用いて後記する。
【００２５】
システム制御回路５０は、メモリ３０に書き込まれた撮影画像データを読み出して、メモリ制御回路２２、そして必要に応じて画像処理回路２０を用いて各種画像処理を行い、また、圧縮・伸長回路３２を用いて設定したモードに応じた画像圧縮処理を行なう。そして、システム制御回路５０は、記録媒体２００へ画像データの書き込みを行う記録処理を実行する（Ｓ１１４）。Ｓ１１４が終了すると、所定のミニマムレビュー時間が経過した後に（Ｓ１１５）システム制御回路５０は、画像表示部２８の表示状態をスルー表示状態に設定して（Ｓ１１６）、Ｓ１１７に進む。シャッタースイッチ（ＳＷ１）６２が押された状態であったならば（Ｓ１１７）、システム制御回路５０は、Ｓ１１１に戻って次の撮影に備える。シャッタースイッチ（ＳＷ１）６２が放された状態であったならば（Ｓ１１７）、システム制御回路５０は、一連の撮影動作を終えて図２のＳ１０３に戻る。
【００２６】
図３は、図２のＳ１１３における撮影処理の詳細なフローチャートを示す。システム制御回路５０は、システム制御回路５０の内部メモリに記憶される測光データに従い、露光制御部４０によって、絞り機能を有するシャッター１２を絞り値に応じて開放して撮像素子１４を露光する（Ｓ３０１、Ｓ３０２）。フラッシュ４８が必要か否かを判断し（Ｓ３０３）、必要な場合はバウンスフラッシュ・フラグを確認する（Ｓ３０４）。バウンスフラッシュ・フラグを確認しバウンス撮影でなければ、トリガ選択部７１により第１トリガ部７２を選択し第１放電管７５を発光させる（Ｓ３０５、Ｓ３０７）。第１放電管７５は第１トリガ部７２のトリガ信号により発光しメインコンデンサ７７の充電電荷を発光制御部８０により制御される制御素子７４を介して放電する。また、バウンス撮影であればトリガ選択部７１により第２トリガ部７３を選択し第２放電管７６を発光させる（Ｓ３０６、Ｓ３０７）。第２放電管７６は、第２トリガ部７３のトリガ信号により発光しメインコンデンサ７７の充電電荷を発光制御部８０により制御される制御素子７４を介して放電する。フラッシュ４８が必要か否かを判断し（Ｓ３０３）、必要でない場合はフラッシュ発光を行わず露光を行う。システム制御回路５０は、測光データに従って撮像素子１４の露光終了を待つ（Ｓ３０８）。そして、シャッター１２を閉じて（Ｓ３０９）、撮像素子１４から電荷信号を読み出し、メモリ３０に撮影画像のデータを書き込む（Ｓ３１０）。その際、Ａ／Ｄ変換器１６、画像処理回路２０、メモリ制御回路２２を介して、又はＡ／Ｄ変換器１６から直接メモリ制御回路２２を介して行われる。ここで、フラッシュ発光を行った場合では、システム制御回路５０は、測光データに従って撮像素子１４の露光終了を待つ。そして、露光が完了すれば、発光制御部８０を介して制御素子７４を停止させ第１放電管７５又は第２放電管７６の放電電流を停止して（Ｓ３０８）、シャッター１２を閉じて（Ｓ３０９）露光を終了させる。
【００２７】
次に、設定された撮影モードに応じて、フレーム処理を行う必要があるならば（Ｓ３１１）、システム制御回路５０は、メモリ制御回路２２を用いて、メモリ３０に書き込まれた画像データを読み出して垂直加算処理を行う（Ｓ３１２）。その際、必要に応じて画像処理回路２０を用いる。そして、色処理（Ｓ３１３）を順次行った後、メモリ３０に処理を終えた画像データを書き込む。システム制御回路５０は、メモリ３０から画像データを読み出し、メモリ制御回路２２を介して画像表示メモリ２４に表示画像データの転送を行う（Ｓ３１４）。一連の処理を終えたならば、撮影処理ルーチンＳ１１３を終了する。
【００２８】
本実施形態では、バウンスフラッシュモードで撮影する場合の実施形態について説明したが、近距離で撮影するマクロフラッシュモードのようなレンズのケラレや近距離のためフラッシュと撮影光軸のパララックスで影の影響が無視できないモードにも有効である。
【００２９】
（第２の実施形態）
以下、添付図面を参照して本発明の第２の実施形態について詳細に説明する。図５において、第１の実施形態と異なる部分の構成を説明する。異なる構成はフラッシュ４８の内部構成でありこの部分の説明を行う。フラッシュ４８において、第１の実施形態と変更された箇所は、第１メインコンデンサ１７７と、第２メインコンデンサ１７８と、ダイオード１７９とである。システム制御回路５０は、トリガ選択部７１により、第１放電管７５又は第２放電管７６を発光させるための第１トリガ部７２又は第２トリガ部７３を選択的に駆動させる。システム制御回路５０は、発光制御部８０を介して制御素子７４を制御することで第１放電管７５又は第２放電管７６の発光量を制御してフラッシュ調光を行う。昇圧部８１は第１メインコンデンサ１７７及び第２メインコンデンサ１７８を昇圧した電圧にて充電する。第１放電管７５の放電は第１メインコンデンサ１７７で行われ、第２放電管７６の放電は第１メインコンデンサ１７７と第２メインコンデンサ１７８の両方が放電するように、ダイオード１７９が挿入されている。
【００３０】
この図５に示すフラッシュ４８は、バウンス撮影でなければトリガ選択部７１により第１トリガ部７２を選択し第１放電管７５を発光させる。第１放電管７５は第１トリガ部７２のトリガ信号により発光し第１メインコンデンサ１７７の充電電荷を発光制御部８０により制御される制御素子７４を介して放電する。第１放電管７５の放電は第１メインコンデンサ１７７の充電電荷のみで第２メインコンデンサ１７８の充電電荷はダイオード１７９が放電を阻止するため放電は行われない。また、バウンス撮影であればトリガ選択部７１により第２トリガ部７３を選択し第２放電管７６を発光させる。第２放電管７６は第２トリガ部７３のトリガ信号により発光し第１メインコンデンサ１７７の充電電荷とダイオード１７９を介して第２メインコンデンサ１７８の充電電荷を発光制御部８０により制御される制御素子７４を介して放電する。ここで、第１放電管７５と第２放電管７６の放電電荷が異なるのは、バウンス撮影の場合には天井、壁又はレフ板（反射板）などに反射させるため光が拡散するので被写体を照明する光が一般フラッシュ撮影時のような直射光より光量が減少するためである。本実施形態では、上記の理由により一般的な撮影では第１メインコンデンサ１７７のみをバウンス時には第１メインコンデンサ１７７及び第２メインコンデンサ１７８両方の充電電荷を使用している。なお、上記の実施形態では撮像装置に発光部を備えたが、図６に示すように、第２発光部７０６及び第１発光部７０８をフラッシュ本体に配置することでも良い。また、バウンスフラッシュスイッチ７０４をフラッシュ本体に設けてもよく、カメラからのシューコンタクト７０２を介して通信により設定してもよい。
【産業上の利用可能性】
【００３１】
本発明は、静止画撮影する撮像装置に利用可能であり、具体的には、コンパクトカメラやビデオカメラなどに利用可能である。
【符号の説明】
【００３２】
５０  システム制御回路
６８  バウンスフラッシュスイッチ
７１  トリガ選択部
７２  第１トリガ部
７３  第２トリガ部
７４  制御素子
７５  第１放電管
７６  第２放電管
７７  メインコンデンサ
８０  発光制御部
８１  昇圧部
１００  撮像装置
６０４  バウンスフラッシュスイッチ
６０６  第２発光部
６０８  第１発光部
【図１】
2010266604.tif 000003
【図２】
2010266604.tif 000004
【図３】
2010266604.tif 000005
【図４】
2010266604.tif 000006
【図５】
2010266604.tif 000007
【図６】
2010266604.tif 000008